(57)【要約】      （修正有）【課題】自分の端末と他人の端末とで画面を共有する場合や、他人に自分の端末の画面を見せる場合において、他人に見せたくないアイコンやファイル名を、元の表示状態が想起されない表示状態に変更することができる表示装置を提供する。【解決手段】表示装置は、表示部と、制御部とを備える。表示部は、第１オブジェクト３０Ａを表示する。制御部は、外部端末２４と通信して外部端末２４の画面２６と表示部とを共有させ、第１オブジェクト３０Ａを第２オブジェクト３０Ｂに変換して、第２オブジェクト３０Ｂを外部端末２４の画面２６に表示させる。【選択図】図５
2020135817.tif 000002
【特許請求の範囲】
【請求項１】
第１オブジェクトを表示する表示部と、
外部端末と通信して前記外部端末の画面と前記表示部とを共有させ、前記第１オブジェクトを第２オブジェクトに変換して、前記第２オブジェクトを前記外部端末の前記画面に表示させる制御部と
を備える、表示装置。
【請求項２】
第１オブジェクトまたは第２オブジェクトを表示する表示部と、
表示装置の位置情報に基づき、または、参加者情報に基づき、前記第１オブジェクトを前記第２オブジェクトに変換する制御部と
を備える、表示装置。
【請求項３】
前記第１オブジェクトは、
前記第１オブジェクトに関する開発者若しくは販売者から提供された第１インターフェース画像、前記開発者若しくは前記販売者から提供された文字情報を表す第１文字画像、または、前記第１インターフェース画像または前記第１文字画像が指示されることにより起動する第１ソフトウェアの画像であり、
前記第２オブジェクトは、
前記第１インターフェース画像を想起させない第２インターフェース画像、前記第１文字画像を想起させない第２文字画像、または、前記第１ソフトウェアに含まれる画像の一部または全部が消去された第２ソフトウェアである、請求項１または請求項２に記載の表示装置。
【請求項４】
前記制御部は、
前記外部端末ごと、前記外部端末の使用者ごと、または前記使用者の所属する団体ごとに、前記第１オブジェクトを前記第２オブジェクトに変換し、または、前記第２オブジェクトを前記第１オブジェクトに変換する、請求項１に記載の表示装置。
【請求項５】
前記制御部は、
前記位置情報に基づき、または、前記参加者情報に基づき、前記第１オブジェクトを前記第２オブジェクトに変換し、または、前記第２オブジェクトを前記第１オブジェクトに変換する、請求項２に記載の表示装置。
【請求項６】
前記制御部は、前記第２オブジェクトが前記外部端末の前記画面に表示されていることを前記表示部に表示する、請求項１または請求項４に記載の表示装置。
【請求項７】
前記制御部は、前記表示部または前記外部端末の前記画面のいずれかが起動する前に、前記第１オブジェクトを前記第２オブジェクトに変換する、請求項１、請求項４、または請求項６のいずれか１項に記載の表示装置。
【請求項８】
前記制御部は、
前記表示部において、前記第１オブジェクトが指示されても、前記第１ソフトウェアが起動しないよう制御する、請求項３に記載の表示装置。
【請求項９】
前記制御部は、前記外部端末の前記画面と前記表示部との共有が終了した後、前記第２オブジェクトを前記第１オブジェクトに変換する、請求項１、請求項４、または請求項６のいずれか１項に記載の表示装置。
【請求項１０】
制御部は、前記位置情報に基づいて、前記第２オブジェクトを前記第１オブジェクトに変換する、請求項２に記載の表示装置。
【請求項１１】
前記第１オブジェクトと前記第２オブジェクトとを対応付けて記憶する記憶部を備える、請求項１から請求項１０のいずれか１項に記載の表示装置。
【発明の詳細な説明】
【技術分野】
【０００１】
本発明は、表示装置に関する。
【背景技術】
【０００２】
特許文献１に記載された文書処理装置は、送信者から元データが送信されてくると、元データから隠蔽すべき部分を抽出し、隠蔽すべき部分と元データの内容とを比較して、最終的に開示されるデータを生成する。隠蔽すべき部分はアイコンに置き換えられ、開示されるデータに挿入する。
【先行技術文献】
【特許文献】
【０００３】
【特許文献１】特開２００１−４３２１３号公報
【発明の概要】
【発明が解決しようとする課題】
【０００４】
しかしながら、特許文献１に記載された文書処理装置は、自分の端末と他人の端末とで画面を共有する場合や、他人に自分の端末の画面を見せる場合、他人に見せたくないアイコンやファイル名が表示されてしまうという課題がある。
【０００５】
本発明は上記課題に鑑みてなされたものであり、他人に見せたくないアイコンやファイル名のオブジェクト画像を、元のオブジェクト画像が想起されないような他のオブジェクト画像に変換することができる表示装置を提供することを目的とする。
【課題を解決するための手段】
【０００６】
本発明の一局面によれば、表示装置は、表示部と、制御部とを備える。前記表示部は、第１オブジェクトを表示する。前記制御部は、外部端末と通信して前記外部端末の画面と前記表示部とを共有させ、前記第１オブジェクトを第２オブジェクトに変換して、前記第２オブジェクトを前記外部端末の前記画面に表示させる。
【０００７】
本発明の他の一局面によれば、表示装置は、表示部と、制御部とを備える。前記表示部は、第１オブジェクトまたは第２オブジェクトを表示する。前記制御部は、前記表示装置の位置情報に基づいて、前記第１オブジェクトを前記第２オブジェクトに変換する。
【発明の効果】
【０００８】
本発明によれば、他人に見せたくないアイコンやファイル名のオブジェクト画像を、元のオブジェクト画像が想起されないような他のオブジェクト画像に変換することができる。
【図面の簡単な説明】
【０００９】
【図１】本発明の実施形態に係る表示装置を示す外観斜視図である。
【図２】本実施形態に係る表示装置の詳細な構成を示す図である。
【図３】本実施形態に係る表示装置の第１典型例を示す図である。
【図４】本実施形態に係る表示装置の第１典型例における表示例を示す図である。
【図５】（ａ）および（ｂ）は、本実施形態に係る表示装置の第１典型例における他の表示例を示す図である。
【図６】（ａ）および（ｂ）は、本実施形態の第１典型例におけるさらなる他の表示例を示す図である。
【図７】本実施形態の第１典型例に係る表示装置２の動作を示すフローチャートである。
【図８】本実施形態の第１典型例に係る表示装置２の動作を示すフローチャートである。
【図９】（ａ）および（ｂ）は、本実施形態に係る表示装置２の第２典型例の概要を示す図である。
【図１０】（ａ）および（ｂ）は、本実施形態に係る表示装置２の第２典型例における表示例を示す図である。
【図１１】本実施形態の第２典型例に係る表示装置の動作を示すフローチャートである。
【図１２】本実施形態の第２典型例に係る表示装置の動作を示すフローチャートである。
【図１３】本実施形態の第２典型例に係る表示装置の他の動作を示すフローチャートである。
【図１４】本実施形態の第２典型例に係る表示装置の他の動作を示すフローチャートである。
【図１５】本実施形態に係る表示装置の第１具体例を示す図である。
【図１６】（ａ）および（ｂ）は、本実施形態に係る表示装置の第２具体例を示す図である。
【図１７】（ａ）および（ｂ）は、本実施形態に係る表示装置の第２具体例の他の例を示す図である。
【図１８】（ａ）および（ｂ）は、本実施形態に係る表示装置の第３具体例を示す図である。
【図１９】（ａ）および（ｂ）は、本実施形態に係る表示装置の他の第３具体例を示す図である。
【図２０】（ａ）および（ｂ）は、本実施形態に係る表示装置のさらなる他の第３具体例を示す図である。
【図２１】（ａ）および（ｂ）は、本実施形態に係る表示装置の第４具体例を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１は、表示装置２を示す外観斜視図である。表示装置２の一例は、ノートパソコンである。表示装置２は、本体装置４と、表示部８とを含む。表示部８は、本体装置４に対してヒンジ６を介して開閉可能である。表示部８は、ディスプレーを含む。ディスプレーには、ＬＣＤ（Ｌｉｑｕｉｄ  Ｃｒｙａｔａｌ  Ｄｉｓｐｌａｙ）等の表示パネルが設けられており、表示パネルはケーブル等により本体装置４の回路基板と接続されている。
【００１２】
図１は、表示部８が開いた状態を示している。また、以下では、表示装置２の表示部８が開いた状態において、方向Ｘは、本体装置４の幅方向の左側から右側へ向かう方向として説明する。同様に、方向Ｙは、本体装置４の上下方向の下側から上側へ向かう方向として説明する。方向Ｚは、本体装置４の前後方向の前側から後側へ向かう方向として説明する。
【００１３】
本体装置４の内部には、図示しない電子部品を搭載する回路基板が収納されている。本体装置４の上面にはキーボードおよびタッチパッド等の入力機器が設けられている。
【００１４】
本体装置４の側端部には、回路基板と接続するＵＳＢ（Ｕｎｉｖｅｒｓａｌ  Ｓｅｒｉａｌ  Ｂｕｓ）コネクター１２と、インターフェース部１４とが配置される。ＵＳＢコネクター１２は、データを入出力するＵＳＢケーブル（図示せず）の端子またはＵＳＢメモリー（図示せず）の端子と接続する。インターフェース部１４には、ディスプレーケーブルの端子（図示せず）や、インターネットケーブルの端子（図示せず）が接続される。
【００１５】
ディスプレーケーブル、およびディスプレーケーブルの端子の例は、Ｄ−Ｓｕｂ（Ｄ−ｓｕｂｍｉｎｉａｔｕｒｅ）１５ピンケーブル／Ｄ−Ｓｕｂ１５ピン端子、ＤＶＩ（Ｄｉｇｉｔａｌ  Ｖｉｓｕａｌ  Ｉｎｔｅｒｆａｃｅ）ケーブル／ＤＶＩ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル／ＨＤＭＩ（登録商標）端子、または、ＤＩＳＰＬＡＹ  Ｐｏｒｔケーブル／ＤＩＳＰＬＡＹ  Ｐｏｒｔ端子である。
【００１６】
インターネットケーブル、およびインターネットケーブルの端子の例は、ＬＡＮ（Ｌｏｃａｌ  Ａｒｅａ  Ｎｅｔｗｏｒｋ）ケーブル／ＬＡＮケーブル端子、または、イーサネット（登録商標）ケーブル／イーサネット（登録商標）ケーブル端子である。
【００１７】
表示装置２は、デスクトップパソコン、ノートパソコンのようなコンピューター機器であってもよい。また、固定電話機、携帯電話機、スマートフォンのような通信機器であってもよい。また、ディスプレーを備える情報端末であってもよい。
【００１８】
表示装置２は、ＵＳＢコネクター１２に接続されたＵＳＢケーブルや、インターフェース部１４に接続されたインターネットケーブルを介して、オーバーヘッドディスプレー装置と接続可能であり、また、テレビ会議システムと接続可能である。また、表示装置２は、ＵＳＢケーブルやインターネットケーブルを介して、後述する外部の端末と通信接続が可能である。
【００１９】
次に、図２を参照して、表示装置２の詳細について説明する。図２は、表示装置２の詳細な構成を示す図である。図２に示すように、表示装置２は、図１で説明した表示部８に加えて、通信部１６と、取得部１８と、記憶部２０と、制御部２２とを、さらに備える。通信部１６については、図３で後述する。
【００２０】
取得部１８は、表示装置２の位置情報を取得する。取得部１８の一例は、全地球測位システム、すなわち、ＧＰＳ（Ｇｌｏｂａｌ  Ｐｏｓｉｔｉｏｎｉｎｇ  Ｓｙｓｔｅｍ）である。
【００２１】
記憶部２０は、表示部８に表示する内容を記憶する。記憶部２０は、記憶装置を含み、データおよびコンピュータープログラムを記憶する。具体的には、記憶部２０は、半導体メモリーのような主記憶装置と、半導体メモリーおよび／またはハードディスクドライブのような補助記憶装置とを含む。記憶部２０は、リムーバブルメディアを含んでいてもよい。
【００２２】
制御部２２は、表示部８と、通信部１６と、取得部１８と、記憶部２０とを制御し、さらに、表示装置２の各部の動作を制御する。制御部２２は、具体的には、ＣＰＵ（Ｃｅｎｔｒａｌ  Ｐｒｏｃｅｓｓｉｎｇ  Ｕｎｉｔ）のようなプロセッサーを含む。そして、制御部２２のプロセッサーは、記憶部２０の記憶装置に記憶されたコンピュータープログラムを実行することによって、表示装置２の各部の動作を制御する。
【００２３】
その他、制御部２２は、通信部１６または取得部１８から取得した情報に基づいて、表示部８に表示させる内容を変換するか否かの判定を行い、判定に基づいて表示部８に表示させる内容を変換し、変換した内容を表示部８に表示させる。
【００２４】
（第１典型例）
次に、図３〜図５（ｂ）を参照して、本実施形態に係る表示装置２の第１典型例について説明する。図３は、表示装置２の第１典型例を示す図である。図４は、第１典型例における表示例を示す図である。図５（ａ）および図５（ｂ）は、表示装置２の第１典型例における他の表示例を示す図である。
【００２５】
図３に示すように、表示装置２は、１つまたは複数の外部端末２４とケーブル２８で通信接続されている。表示装置２は、１つに限られない。表示装置２は、複数接続されていてもよい。外部端末２４は、外部端末２４Ａ〜外部端末２４Ｄを例示しているが、これに限られるものではない。外部端末２４は１つが接続されていてもよく、５つ以上接続されていてもよい。なお、外部端末２４Ａ〜外部端末２４Ｄは、特にこれらを区別する必要がない場合は、外部端末２４と記載する。
【００２６】
外部端末２４は、デスクトップパソコン、ノートパソコンのようなコンピューター機器であってもよい。また、固定電話機、携帯電話機、スマートフォンのような通信機器であってもよい。テレビ電話システム、オーバーヘッドディスプレー装置であってもよい。また、ディスプレーを備える情報端末であってもよい。
【００２７】
外部端末２４Ａ〜外部端末２４Ｄは、それぞれ画面２６Ａ〜画面２６Ｄを含む。但し、画面２６Ａ〜画面２６Ｄは、特にこれらを区別する必要がない場合は、画面２６と記載する。外部端末２４および画面２６に関する説明は、本願の全編において適用される。
【００２８】
また、図３では、表示装置２と外部端末２４とが、有線のケーブル２８で接続されているが、無線で接続されていてもよい。ケーブル２８および無線に関する説明は、本願の全編において適用される。
【００２９】
表示装置２の通信部１６は、表示装置２と外部端末２４との通信を接続する。通信が接続されると、表示装置２の制御部２２は、表示装置２の表示部８と外部端末２４の画面２６とを共有させる。
【００３０】
また、通信部１６は、ＵＳＢコネクター１２およびインターフェース部１４を介して、テレビ会議システムその他の外部端末２４と通信する。通信部１６は、送信部と受信部とを含む。有線による通信部１６の一例は、ＬＡＮ（Ｌｏｃａｌ  Ａｒｅａ  Ｎｅｔｗｏｒｋ）ケーブルであり、無線による通信の一例は、無線ＬＡＮ、Ｗｉ−Ｆｉ（Ｗｉｒｅｌｅｓｓ  Ｆｉｄｅｌｉｔｙ）、またはＢｌｕｅｔｏｏｔｈ（登録商標）である。
【００３１】
図４に示すように、表示部８は、第１オブジェクト３０Ａを表示する。すなわち、表示部８には、後述するソフトウェアやアプリケーション（以下、「第１ソフトウェア６０」と記載する。）を起動させるためのショートカットの画像の他、ファイルの画像、または、ファイルをまとめたフォルダーの画像（以下、「第１インターフェース画像３２Ａ」と記載する。）の他、第１インターフェース画像３２Ａがクリック等されて起動する文書編集ソフト、表計算ソフト、文書閲覧ソフト、音楽編集ソフト、または画像編集ソフトなどが表示される。
【００３２】
また、第１インターフェース画像３２Ａには、内容を表す第１文字画像３４Ａが付随して表示される場合がある。以下、第１インターフェース画像３２Ａと、第１インターフェース画像３２Ａに付随して表示される第１文字画像３４Ａと、開かれたソフトウェアの画面とを合わせて、第１オブジェクト３０Ａと記載する。
【００３３】
図４に示す表示部８は、第１オブジェクト３０Ａを表示する。表示部８には、通常、複数の第１オブジェクト３０Ａが表示されているが、図面作成の都合上、１つの第１オブジェクト３０Ａを表示する。
【００３４】
第１オブジェクト３０Ａは、第１オブジェクト３０Ａに関する開発者若しくは販売者から提供された第１インターフェース画像３２Ａ、開発者若しくは販売者から提供された文字情報を表す第１文字画像３４Ａ、または、第１インターフェース画像３２Ａまたは第１文字画像３４Ａが指示されることにより起動する、後述する第１ソフトウェア６０の画像である。
【００３５】
しかしながら、図５（ａ）および図５（ｂ）に示す外部端末２４の使用者は、オブジェクト３０の開発者または販売者と競合関係にある場合などがある。従って、表示装置２の表示部８と外部端末２４の画面２６とが共有されることにより、外部端末２４の使用者に第１オブジェクト３０Ａを見られると、不都合を生じる場合がある。
【００３６】
例えば、図４に示す第１インターフェース画像３２Ａは、例えば、第１ソフトウェア６０の開発者または販売者から提供された画像であるので、開発者または販売者を想起させる画像であることがある。一例として、開発者または販売者がＡ会社である場合の「Ａ」と視認される画像である。また、第１文字画像３４Ａは、第１ソフトウェア６０の開発者または販売者であるＡ会社を想起させる文字画像であることがある。一例として、「Ａ会社」と視認される文字画像である。
【００３７】
そこで、制御部２２は、外部端末２４と通信して外部端末２４の画面２６と表示部８とを共有させ、第１オブジェクト３０Ａを第１オブジェクト３０Ａが想起されない第２オブジェクト３０Ｂに変換して、第２オブジェクト３０Ｂを外部端末２４の画面２６に表示させる。
【００３８】
具体的には、制御部２２は、図５（ａ）に示す外部端末２４の画面２６に表示された第１オブジェクト３０Ａを、図５（ｂ）に示す第２オブジェクト３０Ｂに変換するか否かを判定する。図４に示す表示装置２の表示部８と図５（ａ）に示す外部端末２４の画面２６とは共有されているので、通常は、図５（ａ）に示す第１オブジェクト３０Ａは、図４に示す第１オブジェクト３０Ａと同じである。
【００３９】
すなわち、図４の第１オブジェクト３０Ａと図５（ａ）の第１オブジェクト３０Ａとは、いずれも「Ａ」と視認される第１インターフェース画像３２Ａと、「Ａ会社」と視認される第１文字画像３４Ａとが表示される。
【００４０】
さらに、第２オブジェクト３０Ｂは、第１インターフェース画像３２Ａを想起させない第２インターフェース画像３２Ｂ、第１文字画像３４Ａを想起させない第２文字画像３４Ｂ、または、第１ソフトウェア６０に含まれる画像の一部または全部が消去された第２ソフトウェア６２である。
【００４１】
外部端末２４の画面２６に表示されたソフトウェアは、表示装置２の表示部８に表示された第１ソフトウェア６０と同一であるが、説明の便宜上、第２ソフトウェア６２と記載する。第２ソフトウェア６２は、第１ソフトウェア６０に表示されたデータの一部または全部が消去されている。
【００４２】
制御部２２は、通信部１６を起動して、表示装置２の表示部８と外部端末２４の画面２６との通信が接続された否かを判定する。通信が接続されたと判定された場合、制御部２２は、外部端末２４の画面２６に表示されるべき第１オブジェクト３０Ａを第２オブジェクト３０Ｂに変換するか否かを判定する。第２オブジェクト３０Ｂに変換すると判定すると、制御部２２は、第１オブジェクト３０Ａに対応する第２オブジェクト３０Ｂを記憶部２０から読み出す。
【００４３】
すなわち、図５（ｂ）に示す第２インターフェース画像３２Ｂの「Ｂ」は、第１インターフェース画像３２Ａの「Ａ」を想起させない画像である。また、「〇△□」と視認される第２文字画像３４Ｂは、第１オブジェクト３０Ａを指示することにより起動するソフトの開発者または販売者である「Ａ会社」を想起させない文字画像である。
【００４４】
制御部２２は、図５（ａ）に示す外部端末２４の画面２６に表示された第１オブジェクト３０Ａの画像を、図５（ｂ）に示す第２オブジェクト３０Ｂの画像に変換する。例えば、制御部２２は、「Ａ」と視認される第１インターフェース画像３２Ａを、「Ａ」を想起させない、「Ｂ」と視認される第２インターフェース画像３２Ｂに変換して、画面２６に表示させる。また、制御部２２は、「Ａ会社」と視認される第１文字画像３４Ａを、「Ａ会社」を想起させない、「〇△□」と視認される第２文字画像３４Ｂに変換して、画面２６に表示させる。
【００４５】
本実施形態によれば、表示装置２と他人の外部端末２４とで画面を共有する場合において、他人に見せたくないアイコン、ファイル名などのオブジェクト画像を、元のオブジェクト画像が想起されないような他のオブジェクト画像に変換することができる。
【００４６】
表示装置２は、第１オブジェクト３０Ａと第２オブジェクト３０Ｂとを対応付けて記憶する記憶部２０を備える。
【００４７】
外部端末２４の画面２６と表示装置２の表示部８とを共有させるたび、または、後述する第２典型例において、表示装置２の位置が変わるたび、第２オブジェクト３０Ｂをどのようなデザインの第２インターフェース画像３２Ｂにするか、または、どのような第２文字画像３４Ｂにするかを検討することは、ユーザーにとって煩雑である。
【００４８】
そこで、記憶部２０は、第１オブジェクト３０Ａと、ユーザーが事前に設定した第２オブジェクト３０Ｂとを対応させて記憶する。具体的には、記憶部２０は、第１オブジェクト３０Ａと第２オブジェクト３０Ｂとを対応付けたテーブル（図示せず）を含む。
【００４９】
テーブルには、第１オブジェクト３０Ａとして、第１インターフェース画像３２Ａと、第１文字画像３４Ａなどが記憶される。第１インターフェース画像３２Ａは、アイコン、ファイル、フォルダー、後述する第１壁紙、第１ソフトウェア６０、第１ソフトウェア６０に表示されるデータ、取引先、開発者、製造者、販売者、使用者に対応する画像である。第１文字画像３４Ａは、第１インターフェース画像３２Ａに付随して表示される文字画像であって、ファイルやフォルダーの資料の内容を記載した文字画像である。
【００５０】
また、第１オブジェクト３０Ａと対応する第２オブジェクト３０Ｂとして、第２インターフェース画像３２Ｂと、第２文字画像３４Ｂなどが記憶される。第２インターフェース画像３２Ｂは、アイコン、ファイル、フォルダー、後述する第２壁紙、第２ソフトウェア６２、第２ソフトウェア６２に表示されるデータなどの他、取引先、開発者、製造者、販売者、使用者に対応する画像である。
【００５１】
第２文字画像３４Ｂは、第２インターフェース画像３２Ｂに付随して表示される文字画像であって、ファイルやフォルダーの資料の内容を記載した文字画像である。但し、記憶部２０において、テーブルは必須の構成要素ではない。
【００５２】
本実施形態によれば、外部端末２４の画面２６と表示装置２の表示部８とを共有させるたび、第２オブジェクト３０Ｂをどのように表示するかを設定する必要がない。
【００５３】
次に、制御部２２は、表示装置２の表示部８または外部端末２４の画面２６のいずれかが起動する前に、第１オブジェクト３０Ａを第２オブジェクト３０Ｂに変換する。
【００５４】
表示装置２の表示部８と外部端末２４の画面２６とが共有される場合において、共有が開始されるまでに、外部端末２４の画面２６において第１オブジェクト３０Ａが第２オブジェクト３０Ｂに変換されていれば、ユーザーは、第２オブジェクト３０Ｂに変換されているか否かについて検討する煩雑さから解放され、好適である。
【００５５】
そこで、制御部２２は、通信部１６を起動して、表示装置２の表示部８と外部端末２４の画面２６との通信が接続された否かを判定する。通信が接続されたと判定された場合、制御部２２は、外部端末２４の画面２６に表示されるべき第１オブジェクト３０Ａを第２オブジェクト３０Ｂに変換するか否かを判定する。第２オブジェクト３０Ｂに変換すると判定すると、制御部２２は、第１オブジェクト３０Ａに対応する第２オブジェクト３０Ｂを記憶部２０から読み出す。
【００５６】
制御部２２は、表示装置２の表示部８と外部端末２４の画面２６との共有が開始される前、または、表示部８または外部端末２４の画面２６のいずれかが起動する前に、外部端末２４の画面２６で表示されるべき第１オブジェクト３０Ａを第２オブジェクト３０Ｂに変換する。
【００５７】
制御部２２は、表示装置２の表示部８と外部端末２４の画面２６との共有が開始されるとき、または、外部端末２４の画面２６のいずれかが起動するときに、外部端末２４の画面２６に第２オブジェクト３０Ｂを表示する。
【００５８】
制御部２２が第１オブジェクト３０Ａを第２オブジェクト３０Ｂに変換する時点は、例えば、第１オブジェクト３０Ａを共有する外部端末２４の使用者から届いた電子メールにより、使用者の所属が確認できたとき、または表示装置２または外部端末２４の電源がＯＮになったことを確認できたときであってもよい。
【００５９】
本実施形態によれば、表示装置２のユーザーは、表示装置２の表示部８と外部端末２４の画面２６との共有が開始されるまでに、外部端末２４の画面２６において第１オブジェクト３０Ａが第２オブジェクト３０Ｂに変換されているか否かについて検討する必要がない。
【００６０】
また、表示装置２のユーザーは、表示装置２の表示部８が起動させるまでに、表示装置２の表示部８に表示されるべき第１オブジェクト３０Ａが、第２オブジェクト３０Ｂに変換されているか否かについて検討する必要がない。
【００６１】
次に、図６（ａ）および（ｂ）を参照して、第１ソフトウェア６０に含まれる画像の一部または全部が消去された第２ソフトウェア６２の例を説明する。図６（ａ）および図６（ｂ）は、第１典型例におけるさらなる他の表示例を示す図である。
【００６２】
図６（ａ）に示すように、制御部２２は、表示装置２の表示部８において、第１オブジェクト３０Ａがクリックされるなどにより指示されて、第１ソフトウェア６０を起動させているとき、図６（ｂ）に示すように、制御部２２は、外部端末２４の画面２６において、第２ソフトウェア６２に含まれる画像の一部または全部を表示させない。
【００６３】
第１ソフトウェア６０は、第１オブジェクト３０Ａが指示されることより起動する、例えば、文書作成ソフト、表計算ソフト、または、作図ソフトである。
【００６４】
第１ソフトウェア６０が文書作成ソフトや表計算ソフトである場合、第１ソフトウェア６０に入力されたデータ、その他の画像が、利害関係のある他人に視認されることにより、不都合が生じることがある。
【００６５】
そこで、第１典型例に対応して、表示装置２の表示部８と外部端末２４の画面２６とが共有されている場合、制御部２２は、表示装置２の表示部８に表示された第１オブジェクト３０Ａが指示されるに従って、第１ソフトウェア６０を起動する。そして、制御部２２は、第２ソフトウェア６２を外部端末２４の画面２６に表示させる。その際、制御部２２は、第２ソフトウェア６２に含まれる文字画像の一部または全部を表示させない。
【００６６】
具体的には、図６（ａ）に示すように、第１ソフトウェア６０には、３月分として、Ａ社に１５６，０００円、Ｂ社に１０３，０００円、Ｃ社に９８，０００円をそれぞれ請求したことを示す文字画像６４が表示されている。
【００６７】
制御部２２は、図６（ｂ）に示すように、外部端末２４の画面２６に、第２ソフトウェア６２に含まれる請求金額にあたる文字画像６６の一部または全部を表示させない。但し、第２ソフトウェア６２で表示させない文字画像６６の一部または全部は、請求金額の部分に限定されない。会社名、個人名など、第２ソフトウェア６２に表示された文字画像６６の一部または全部でもよい。
【００６８】
本実施形態によれば、文書作成ソフトや表計算ソフトに表示された画像を他人に視認されることによって生じる不都合を回避することができる。また、表示装置２の表示部８と外部端末２４の画面２６とが共有されていても、他人に見せたくないソフトウェアのデータを、元のデータが想起されないような画像に変換することができる。さらに、表示装置２のユーザーは、他人に見られない状態で第１ソフトウェア６０上でデータを入力、削除、または変換するなどの作業を行うことができる。
【００６９】
また、本実施形態によれば、表示装置２と外部端末２４とで画面を共有する場合において、外部端末２４の使用者に見せたくないアイコンなどの第１オブジェクト３０Ａの画像を、第１オブジェクト３０Ａの画像が想起されないような第２オブジェクト３０Ｂに変換することにより、第１オブジェクト３０Ａを指示することにより起動する第１ソフトウェア６０の開発者または販売者と競合関係にある第三者に、第１オブジェクト３０Ａの画像を見せることにより生ずる不都合を避けることができる。
【００７０】
次に、第１典型例に対応して、制御部２２は、外部端末２４の画面２６と表示部８との共有が終了した後、第２オブジェクト３０Ｂを第１オブジェクト３０Ａに変換する。
【００７１】
外部端末２４の画面２６と表示装置２の表示部８との共有を終了した後、表示装置２のユーザーは、表示装置２が制御した外部端末２４における第１オブジェクト３０Ａから第２オブジェクト３０Ｂへの変換を、第１オブジェクト３０Ａに戻す作業が必要であり、煩雑である。
【００７２】
そこで、制御部２２は、外部端末２４の画面２６と表示装置２の表示部８との共有を終了するよう制御する。その後、制御部２２は、外部端末２４に対して第１オブジェクト３０Ａを第２オブジェクト３０Ｂに変換する制御を終了し、第２オブジェクト３０Ｂを第１オブジェクト３０Ａに戻すよう制御する。
【００７３】
具体的には、制御部２２は、通信部１６によって、表示装置２の表示部８と外部端末２４の画面２６との通信接続が切断されか否か判定する。通信接続が切断されたと判定された場合、制御部２２は、第２オブジェクト３０Ｂを第１オブジェクト３０Ａに変換するか否かを判定する。
【００７４】
第１オブジェクト３０Ａに変換すると判定した場合、制御部２２は、第２オブジェクト３０Ｂに対応する第１オブジェクト３０Ａを記憶部２０から読み出し、第２オブジェクト３０Ｂを第１オブジェクト３０Ａに変換する。
【００７５】
本実施形態によれば、表示装置２のユーザーは、外部端末２４の画面２６と表示装置２の表示部８との共有が終了した後、第２オブジェクト３０Ｂを第１オブジェクト３０Ａに戻すことを検討する必要がない。
【００７６】
次に、図７および図８を参照して、第１典型例に係る表示装置２の動作を説明する。図７および図８は、第１典型例に係る表示装置２の動作を示すフローチャートである。図７から図８に示すように、処理はステップＳ１０からステップＳ３６を含む。制御部２２は、ステップＳ１０からステップＳ３６の処理を実行する。具体的には次の通りである。
【００７７】
図７に示すように、まず、ステップＳ１０において、制御部２２は、表示装置２を起動させる。処理は、ステップＳ１２に進む。
【００７８】
ステップＳ１２において、表示装置２の表示部８が起動する。処理は、ステップＳ１４に進む。
【００７９】
ステップＳ１４において、表示部８は、第１オブジェクト３０Ａを表示する。処理は、ステップＳ１６に進む。
【００８０】
ステップＳ１６において、制御部２２は、通信部１６に、表示装置２と外部端末２４とを通信接続させる。処理は、ステップＳ１８に進む。
【００８１】
ステップＳ１８において、制御部２２は、外部端末２４の画面２６の第１オブジェクト３０Ａを第２オブジェクト３０Ｂに変換するか否か判定する。第２オブジェクト３０Ｂに変換しないと判定された場合（ステップＳ１８においてＮｏ）、処理は、図８に示すステップＳ３０に進む。第２オブジェクト３０Ｂに変換すると判定された場合（ステップＳ１８においてＹｅｓ）、処理は、ステップＳ２０に進む。
【００８２】
ステップＳ２０において、制御部２２は、第２オブジェクト３０Ｂに変換しようとする第１オブジェクト３０Ａを特定する（図５（ａ））。処理は、ステップＳ２２に進む。
【００８３】
ステップＳ２２において、制御部２２は、第１オブジェクト３０Ａに対応する第２オブジェクト３０Ｂを記憶部２０から読み出す。処理は、図８に示すステップＳ２４に進む。
【００８４】
図８に示すステップＳ２４において、制御部２２は、外部端末２４の画面２６に表示すべき第１オブジェクト３０Ａを第２オブジェクト３０Ｂに変換する。処理は、ステップＳ２６に進む。
【００８５】
ステップＳ２６において、制御部２２は、通信部１６を制御して、表示装置２の表示部８と外部端末２４の画面２６との共有を開始させる。処理は、ステップＳ２８に進む。
【００８６】
ステップＳ２８において、制御部２２は、外部端末２４の画面２６に、第２オブジェクト３０Ｂを表示させる。処理は、ステップＳ３０に進む。
【００８７】
ステップＳ３０において、制御部２２は、表示装置２の表示部８と外部端末２４の画面２６との共有を終了させるか否かを判定する。共有を終了させないと判定された場合（ステップＳ３０においてＮｏ）、ステップＳ３０の判断を繰り返す。共有を終了させると判定された場合（ステップＳ３０においてＹｅｓ）、処理は、ステップＳ３２に進む。
【００８８】
ステップＳ３２において、制御部２２は、通信部１６を制御して、表示装置２と外部端末２４との通信を切断させる。処理は、ステップＳ３４に進む。
【００８９】
ステップＳ３４において、制御部２２は、表示部８の電源をシャットダウンする。処理は、ステップＳ３６に進む。
【００９０】
ステップＳ３６において、制御部２２は、表示装置２の電源をシャットダウンする。そして、処理は終了する。
【００９１】
（第２典型例）
次に、図９（ａ）および図９（ｂ）と、図１０（ａ）および図１０（ｂ）とを参照して、本実施形態に係る表示装置２の第２典型例について説明する。図９（ａ）および図９（ｂ）は、表示装置２の第２典型例の概要を示す図である。図１０（ａ）および図１０（ｂ）は、第２典型例における表示例を示す図である。
【００９２】
第２典型例では、表示装置２は、図２において説明したように、取得部１８と、表示部８と、制御部２２とを備える。取得部１８は、表示装置２の位置情報を取得する。表示部８は、第１オブジェクト３０Ａ、または、第１オブジェクト３０Ａを想起させない第２オブジェクト３０Ｂを表示する。制御部２２は、表示装置２の位置情報に基づいて、第１オブジェクト３０Ａを第２オブジェクト３０Ｂに変換し、または、第２オブジェクト３０Ｂを第１オブジェクト３０Ａに変換して表示部８に表示させる。
【００９３】
図９（ａ）に示すように、表示装置２のユーザーは、ユーザーの所属する団体の所有地域から外出したり、取引先を訪問する際に、ユーザーの所属する団体に属さない他人に、表示装置２に表示された第１オブジェクト３０Ａを視認される場合がある。
【００９４】
表示装置２のユーザーの所属する団体に属さない他人は、第１オブジェクト３０Ａ（図４）に対応するソフトの開発者または販売者と競合関係にある場合があり、他人に第１オブジェクト３０Ａを見せることで不都合を生じることがある。
【００９５】
そこで、取得部１８は、表示装置２の位置情報を取得する。
【００９６】
制御部２２は、位置情報に基づいて、第１領域４０から出るか否かを判定する。第１領域４０は、例えば、表示装置２のユーザーの所属する団体の所有地域である。表示装置２が第１領域４０から出ると判定すると、制御部２２は、表示装置２の表示部８に表示された第１オブジェクト３０Ａを、第２オブジェクト３０Ｂに変換するか否かを判定する。
【００９７】
図１０（ａ）は、表示装置２の表示部８に表示された第１オブジェクト３０Ａを示す。第１オブジェクト３０Ａは、「Ａ」と視認される第１インターフェース画像３２Ａと、第１インターフェース画像３２Ａと付随して表示され、「Ａ会社」と視認される第１文字画像３４Ａとを表示する。
【００９８】
第１オブジェクト３０Ａを第２オブジェクト３０Ｂに変換すると判定すると、制御部２２は、第１オブジェクト３０Ａに対応する第２オブジェクト３０Ｂを記憶部２０から読み出す。制御部２２は、第１オブジェクト３０Ａを第２オブジェクト３０Ｂに変換する。
【００９９】
すなわち、制御部２２は、「Ａ」と視認される第１インターフェース画像３２Ａを、「Ａ」を想起させない、「Ｂ」と視認される第２インターフェース画像３２Ｂに変換して、表示部８に表示させる。また、制御部２２は、「Ａ会社」と視認される第１文字画像３４Ａを、「Ａ会社」を想起させない、「〇△□」と視認される第２文字画像３４Ｂに変換して、表示部８に表示させる。
【０１００】
制御部２２は、表示装置２または表示部８が起動されていなくても、位置情報に基づいて、表示装置２が第１領域４０から出る際に、「Ａ」を「Ｂ」に変換し、または、「Ａ会社」を「Ｂ会社」に変換してもよい。制御部２２は、表示装置２が第１領域４０から出るまでに同様の変換を行ってもよい。制御部２２は、表示装置２または表示部８が起動されるまでに同様の変換を行ってもよい。
【０１０１】
次に、図９（ｂ）に示すように、制御部２２は、取得部１８が取得した表示装置２の位置情報に基づいて、表示装置２が第２領域４２に入るか否かを判定する。第２領域４２は、例えば、第１オブジェクト３０Ａに対応する第１ソフトウェア６０の開発者または販売者と競合関係にある取引先である。
【０１０２】
表示装置２が第２領域４２に入ると判定すると、制御部２２は、表示装置２に表示された第１オブジェクト３０Ａを、第２オブジェクト３０Ｂに変換するか否かを判定する。第１オブジェクト３０Ａを第２オブジェクト３０Ｂに変換すると判定すると、制御部２２は、第１オブジェクト３０Ａに対応する第２オブジェクト３０Ｂを記憶部２０から読み出す。
【０１０３】
制御部２２は、第１オブジェクト３０Ａを、第２オブジェクト３０Ｂに変換する。制御部２２は、第２オブジェクト３０Ｂを表示部８に表示させる。第１オブジェクト３０Ａと第２オブジェクト３０Ｂとの表示態様は、図１０（ａ）および図１０（ｂ）で説明したものと同様である。
【０１０４】
また、図６（ａ）で説明したように、制御部２２は、取得部１８が取得した位置情報に基づいて、表示装置２の表示部８に表示された第１オブジェクト３０Ａに関連する第１ソフトウェア６０の表示と、図６（ｂ）に示す、第２オブジェクト３０Ｂに関連する第２ソフトウェア６２の表示とを変換して表示してもよい。
【０１０５】
本実施形態によれば、表示装置２の位置情報に基づいて、他人に見せたくない第１オブジェクト３０Ａに関連する第１インターフェース画像３２Ａの画像や、第１オブジェクト３０Ａに付随する第１文字画像３４Ａを、第１オブジェクト３０Ａが想起されない第２オブジェクト３０Ｂに変換することができる。
【０１０６】
次に、第２典型例に関連して、制御部２２は、表示装置２の位置情報に基づいて、第２オブジェクト３０Ｂを第１オブジェクト３０Ａに変換する。
【０１０７】
表示装置２のユーザーは、訪問先の団体の所有地域から出た後、または、ユーザーが所属する団体の所有地域に戻った後、表示装置２の表示部８に表示された第２オブジェクト３０Ｂを、第１オブジェクト３０Ａに戻す作業が必要であり、煩雑である。
【０１０８】
そこで、取得部１８は、表示装置２の位置情報を取得する。制御部２２は、位置情報に基づいて、表示装置２において第２オブジェクト３０Ｂを第１オブジェクト３０Ａに戻す（変換する）よう制御する。
【０１０９】
具体的には、制御部２２は、取得部１８を起動して位置情報を取得させる。制御部２２は、位置情報に基づいて、表示装置２が第１領域４０（図９）に入ったか、または、第２領域４２から出たかを判定する。
【０１１０】
表示装置２が第１領域４０に入ったか、または、第２領域４２から出たと判定すると、制御部２２は、第２オブジェクト３０Ｂを第１オブジェクト３０Ａに変換するか否かを判定する。第１オブジェクト３０Ａに変換すると判定された場合、制御部２２は、第２オブジェクト３０Ｂに対応する第１オブジェクト３０Ａを記憶部２０から読み出し、第２オブジェクト３０Ｂを第１オブジェクト３０Ａに変換する。
【０１１１】
本実施形態によれば、表示装置２のユーザーは、訪問先の団体の所有地域から出た後、または、ユーザーが所属する団体の所有地域に戻った後、第２オブジェクト３０Ｂを第１オブジェクト３０Ａに戻すことを検討する必要がない。
【０１１２】
さらに、制御部２２は、表示装置２が第１領域４０内にあるという位置情報に基づいて、または、参加者情報に基づいて、第１オブジェクト３０Ａを第２オブジェクト３０Ｂに変換してもよい。
【０１１３】
具体的には、表示装置２が第１領域４０内にある場合であって、第１オブジェクト３０Ａに関する開発者若しくは販売者以外の第三者に表示装置２の表示部８を見せなければならない場合、制御部２２は、メールのドメイン名などから取得した参加者情報に基づき、第１オブジェクト３０Ａを第２オブジェクト３０Ｂに変換するか否かを判定する。
【０１１４】
第１オブジェクト３０Ａを第２オブジェクト３０Ｂに変換すると判定すると、制御部２２は、第１オブジェクト３０Ａに対応する第２オブジェクト３０Ｂを記憶部２０から読み出す。制御部２２は、第１オブジェクト３０Ａを、第２オブジェクト３０Ｂに変換する。制御部２２は、第２オブジェクト３０Ｂを表示部８に表示させる。
【０１１５】
また、制御部２２は、表示装置２が第１領域４０内にあるという位置情報に基づいて、または、参加者情報に基づいて、第２オブジェクト３０Ｂを第１オブジェクト３０Ａに変換してもよい。
【０１１６】
すなわち、表示装置２が第１領域４０内にある場合であって、会合が終了するなどにより、第１オブジェクト３０Ａに関する開発者若しくは販売者以外の第三者が表示装置２の表示部８を見せる必要がなくなった場合、制御部２２は、参加者情報に基づき、第２オブジェクト３０Ｂを第１オブジェクト３０Ａに変換し、第１オブジェクト３０Ａに戻して表示部８に表示させる。
【０１１７】
具体的には、取得部１８は、表示装置２の位置情報を取得する。制御部２２は、位置情報に基づいて、表示装置２が第１領域４０内にあるか否かを判定する。表示装置２が第１領域４０内にある場合、制御部２２は、参加者情報に基づき、第２オブジェクト３０Ｂを第１オブジェクト３０Ａに変換するか否かを判定する。
【０１１８】
第１オブジェクト３０Ａに変換すると判定すると、制御部２２は、第２オブジェクト３０Ｂに対応する第１オブジェクト３０Ａを記憶部２０から読み出す。制御部２２は、第２オブジェクト３０Ｂを第１オブジェクト３０Ａに変換する。制御部２２は、第１オブジェクト３０Ａを表示部８に表示させる。
【０１１９】
本実施形態によれば、表示装置２が第１領域４０内にある場合において、他人に見せたくない第１オブジェクト３０Ａに関連する第１インターフェース画像３２Ａの画像や、第１オブジェクト３０Ａに付随する第１文字画像３４Ａを、第１オブジェクト３０Ａが想起されない第２オブジェクト３０Ｂに変換することができる。
【０１２０】
さらに、本実施形態によれば、表示装置２が第１領域４０内にある場合において、第２オブジェクト３０Ｂを他人に見せる必要がなくなった場合、ユーザーは、第２オブジェクト３０Ｂを第１オブジェクト３０Ａに戻す必要がない。
【０１２１】
次に、図１１および図１２を参照して、第２典型例に係る表示装置２の動作を説明する。図１１および図１２は、第２典型例に係る表示装置２の動作を示すフローチャートである。図１１および図１２に示す処理は、図９（ａ）に示すように、表示装置２が第１領域４０から出るときの処理である。図１１から図１２に示すように、処理はステップＳ４０からステップＳ６８を含む。制御部２２は、ステップＳ４０からステップＳ６８の処理を実行する。具体的には次の通りである。
【０１２２】
図１１に示すように、まず、ステップＳ４０において、取得部１８は、表示装置２の位置情報を取得する。制御部２２は、位置情報に基づいて、表示装置２が社内領域（第１領域４０）から出るか否かを判定する。表示装置２が第１領域４０から出ないと判定された場合（ステップＳ４０において、Ｎｏ）、制御部２２は、ステップＳ４０の処理を繰り返す。表示装置２が第１領域４０から出ると判定された場合（ステップＳ４０において、Ｙｅｓ）、処理は、ステップＳ４２に進む。
【０１２３】
ステップＳ４２において、制御部２２は、表示装置２の表示部８に表示された第１オブジェクト３０Ａを第２オブジェクト３０Ｂに変換するか否か判定する。第２オブジェクト３０Ｂに変換しないと判定された場合（ステップＳ４２においてＮｏ）、制御部２２は、ステップＳ４２の処理を繰り返す。第２オブジェクト３０Ｂに変換すると判定された場合（ステップＳ４２においてＹｅｓ）、処理は、ステップＳ４４に進む。
【０１２４】
ステップＳ４４において、制御部２２は、表示部８において、第２オブジェクト３０Ｂに変換しようとする第１オブジェクト３０Ａ（図１０（ａ））を特定する。処理は、ステップＳ４６に進む。
【０１２５】
ステップＳ４６において、制御部２２は、第１オブジェクト３０Ａに対応する第２オブジェクト３０Ｂを記憶部２０から読み出す。処理は、ステップＳ４８に進む。
【０１２６】
ステップＳ４８において、制御部２２は、表示装置２が第１領域４０から出るまでに、第１オブジェクト３０Ａを第２オブジェクト３０Ｂに変換する。処理は、ステップＳ５０に進む。
【０１２７】
ステップＳ５０において、制御部２２は、表示装置２を起動する。処理は、ステップＳ５２に進む。
【０１２８】
ステップＳ５２において、制御部２２は、表示部８を起動する。処理は、ステップＳ５４に進む。
【０１２９】
ステップＳ５４において、制御部２２は、表示部８に、第２オブジェクト３０Ｂ（図１０（ｂ））を表示させる。処理は、図１２に示すステップＳ５６に進む。
【０１３０】
ステップＳ５６において、制御部２２は、表示装置２の使用を終了し、表示装置２の電源をシャットダウンするか否かを判定する。表示装置２の電源をシャットダウンしないと判定された場合（ステップＳ５６においてＮｏ）、制御部２２は、ステップＳ５６の処理を繰り返す。表示装置２の電源をシャットダウンすると判定された場合（ステップＳ５６においてＹｅｓ）、処理は、ステップＳ５８に進む。
【０１３１】
ステップＳ５８において、制御部２２は、まず、表示部８の電源をシャットダウンする。処理は、ステップＳ６０に進む。
【０１３２】
ステップＳ６０において、制御部２２は、表示部８の第２オブジェクト３０Ｂを第１オブジェクト３０Ａに変換するか否かを判定する。第１オブジェクト３０Ａに変換しないと判定された場合（ステップＳ６０においてＮｏ）、処理はステップＳ６８に進む。第１オブジェクト３０Ａに変換すると判定された場合（ステップＳ６０においてＹｅｓ）、処理は、ステップＳ６２に進む。
【０１３３】
ステップＳ６２において、制御部２２は、表示部８において、第１オブジェクト３０Ａに変換しようとする第２オブジェクト３０Ｂを特定する。処理は、ステップＳ６４に進む。
【０１３４】
ステップＳ６４において、制御部２２は、第２オブジェクト３０Ｂに対応する第１オブジェクト３０Ａを記憶部２０から読み出す。処理は、ステップＳ６６に進む。
【０１３５】
ステップＳ６６において、制御部２２は、表示部８の第２オブジェクト３０Ｂを第１オブジェクト３０Ａに変換する。処理は、ステップＳ６８に進む。
【０１３６】
ステップＳ６８において、制御部２２は、表示装置２の電源をシャットダウンする。そして、処理は終了する。
【０１３７】
次に、図１３および図１４を参照して、第２典型例に係る表示装置２の他の動作を説明する。図１３および図１４は、第２典型例に係る表示装置２の他の動作を示すフローチャートである。図１３および図１４に示す処理は、図９（ｂ）に示すように、表示装置２が第２領域４２に入るときの処理である。図１３および図１４に示すように、処理はステップＳ８０からステップＳ１１０を含む。制御部２２は、ステップＳ８０からステップＳ１１０の処理を実行する。具体的には次の通りである。
【０１３８】
図１３に示すように、まず、ステップＳ８０において、取得部１８は、表示装置２の位置情報を取得する。制御部２２は、位置情報に基づいて、表示装置２が、例えば、取引先の敷地（第２領域４２）に入るか否かを判定する。表示装置２が第２領域４２に入らないと判定された場合（ステップＳ８０において、Ｎｏ）、制御部２２は、ステップＳ８０の処理を繰り返す。表示装置２が第２領域４２に入ると判定された場合（ステップＳ８０において、Ｙｅｓ）、処理は、ステップＳ８２に進む。
【０１３９】
ステップＳ８２において、制御部２２は、表示装置２の表示部８に表示されるべき第１オブジェクト３０Ａを第２オブジェクト３０Ｂに変換するか否か判定する。第２オブジェクト３０Ｂに変換しないと判定された場合（ステップＳ８２においてＮｏ）、処理は終了する。第２オブジェクト３０Ｂに変換すると判定された場合（ステップＳ８２においてＹｅｓ）、処理は、ステップＳ８４に進む。
【０１４０】
ステップＳ８４において、制御部２２は、表示部８において、第２オブジェクト３０Ｂに変換しようとする第１オブジェクト３０Ａ（図１０（ａ））を特定する。処理は、ステップＳ８６に進む。
【０１４１】
ステップＳ８６において、制御部２２は、第１オブジェクト３０Ａに対応する第２オブジェクト３０Ｂを記憶部２０から読み出す。処理は、ステップＳ８８に進む。
【０１４２】
ステップＳ８８において、制御部２２は、表示装置２が第２領域４２に入るまでに、第１オブジェクト３０Ａを第２オブジェクト３０Ｂに変換する。処理は、ステップＳ９０に進む。
【０１４３】
ステップＳ９０において、制御部２２は、表示装置２を起動する。処理は、ステップＳ９２に進む。
【０１４４】
ステップＳ９２において、制御部２２は、表示部８を起動する。処理は、ステップＳ９４に進む。
【０１４５】
ステップＳ９４において、制御部２２は、表示部８に第２オブジェクト３０Ｂ（図１０（ｂ））を表示させる。処理は、図１４に示すステップＳ９６に進む。
【０１４６】
図１４に示すステップＳ９６において、制御部２２は、取得部１８を起動する。取得部１８は、表示装置２の位置情報を取得する。制御部２２は、位置情報に基づいて、表示装置２が第２領域４２から出たか否かを判定する。第２領域４２から出ていないと判定された場合（ステップＳ９６においてＮｏ）、制御部２２は、ステップＳ９６の処理を繰り返す。第２領域４２から出たと判定された場合（ステップＳ９６においてＹｅｓ）、処理は、ステップＳ９８に進む。
【０１４７】
ステップＳ９８において、制御部２２は、表示部８の第２オブジェクト３０Ｂを第１オブジェクト３０Ａに変換するか否かを判定する。第１オブジェクト３０Ａに変換しないと判定された場合（ステップＳ９８においてＮｏ）、処理は、ステップＳ１０６に進む。第１オブジェクト３０Ａに変換すると判定された場合（ステップＳ９８においてＹｅｓ）、処理は、ステップＳ１００に進む。
【０１４８】
ステップＳ１００において、制御部２２は、表示部８おいて、第１オブジェクト３０Ａに変換しようとする第２オブジェクト３０Ｂ（図１０（ｂ））を特定する。処理は、ステップＳ１０２に進む。
【０１４９】
ステップＳ１０２において、制御部２２は、第２オブジェクト３０Ｂに対応する第１オブジェクト３０Ａを記憶部２０から読み出す。処理は、ステップＳ１０４に進む。
【０１５０】
ステップＳ１０４において、制御部２２は、第２オブジェクト３０Ｂを第１オブジェクト３０Ａに変換する。処理は、ステップＳ１０６に進む。
【０１５１】
ステップＳ１０６において、制御部２２は、表示装置２の使用を終了し、表示装置２の電源をシャットダウンするか否かを判定する。表示装置２の電源をシャットダウンしないと判定された場合（ステップＳ１０６においてＮｏ）、制御部２２は、ステップＳ１０６の処理を繰り返す。表示装置２の電源をシャットダウンすると判定された場合（ステップＳ１０６においてＹｅｓ）、処理は、ステップＳ１０８に進む。
【０１５２】
ステップＳ１０８において、制御部２２は、まず、表示部８の電源をシャットダウンする。処理は、ステップＳ１１０に進む。
【０１５３】
ステップＳ１１０において、制御部２２は、表示装置２の電源をシャットダウンする。そして、処理は終了する。
【０１５４】
以下、図１〜図１４を参照して説明した第１典型例および第２典型例のそれぞれについて、さらに図を用いて、具体例または変形例を説明する。なお、それぞれの具体例または変形例は、第１典型例のみに対応する具体例または変形例と、第２典型例のみに対応する具体例または変形例と、第１典型例および第２典型例の双方に対応可能な具体例または変形例とに分類されるので、それぞれの具体例または変形例の説明において、どの典型例に対応するのかを適宜説明する。
【０１５５】
（第１具体例）
図１５を参照して、第１具体例を説明する。図１５は、表示装置２の第１具体例を示す図である。第１具体例は、第１典型例に対応する。第１具体例では、制御部２２は、外部端末２４ごと、外部端末２４の使用者ごと、または使用者の所属する団体ごとに、第１オブジェクト３０Ａを第２オブジェクト３０Ｂに変換し、または、第２オブジェクト３０Ｂを第１オブジェクト３０Ａに変換する。
【０１５６】
図１５に示すように、表示装置２と複数の外部端末２４がケーブル２８で通信接続されている。そして、表示装置２の表示部８は、外部端末２４のそれぞれの画面２６と共有されている。
【０１５７】
例えば、表示部８と複数の外部端末２４の画面２６とを共有する場合、外部端末２４の所属団体、外部端末２４の使用者または使用者の所属団体には、表示部８に表示される第１オブジェクト３０Ａに関する第１ソフトウェア６０の利害関係者が含まれる場合がある。
【０１５８】
そこで、制御部２２は、外部端末２４、使用者、または所属団体の情報に基づいて、外部端末２４Ａ〜外部端末２４Ｄごとに、第１オブジェクト３０Ａを表示させるか、第２オブジェクト３０Ｂを表示させるかを判定する。
【０１５９】
図１５に示すように、制御部２２は、外部端末２４Ａの使用者または所属団体が、第１ソフトウェア６０の利害関係者であるか否かを判定する。制御部２２は、外部端末２４Ａの使用者または所属団体が、第１ソフトウェア６０の利害関係者ではないと判定し、外部端末２４Ａの画面２６Ａに第１オブジェクト３０Ａを表示させるか否かを判定する。
【０１６０】
第１オブジェクト３０Ａを表示させると判定すると、制御部２２は、記憶部２０から第１オブジェクト３０Ａを読み出し、表示部８に第１オブジェクト３０Ａを表示する。
【０１６１】
次に、制御部２２は、外部端末２４Ｂ〜２４Ｄの使用者または所属団体が、第１ソフトウェア６０の利害関係者であるか否かを判定する。制御部２２は、外部端末２４Ｂ〜２４Ｄの使用者または所属団体が、第１ソフトウェア６０の利害関係者であると判定し、外部端末２４Ｂ〜２４Ｄの画面２６Ｂ〜２６Ｄに第２オブジェクト３０Ｂを表示させるか否かを判定する。
【０１６２】
第２オブジェクト３０Ｂを表示させると判定すると、制御部２２は、記憶部２０から、外部端末２４Ｂ〜２４Ｄごとに第１オブジェクト３０Ａに対応する第２オブジェクト３０Ｂを読み出す。制御部２２は、画面２６Ｂ〜２６Ｄごとに第２オブジェクト３０Ｂを表示させる。
【０１６３】
外部端末２４のどの画面２６に、第１オブジェクト３０Ａを表示させるか、または第２オブジェクト３０Ｂを表示させるかは、例えば、各外部端末２４の位置情報、外部端末２４が登録されている所属団体名、顔認証システムなどから判明する所属団体の使用者名、外部端末２４のＩＰアドレス、担当者のメールアドレスのドメイン名に基づいて、制御部２２が判定する。制御部２２は、記憶部２０からこれらの情報を読み出してもよい。
【０１６４】
制御部２２は、表示装置２の表示部８に、「Ａ」と視認される第１インターフェース画像３２Ａと、「Ａ会社」と視認される第１文字画像３４Ａとが含まれる第１オブジェクト３０Ａとを表示させる。
【０１６５】
外部端末２４Ａについては、制御部２２は、外部端末２４Ａの画面２６Ａに、第１オブジェクト３０Ａを表示させる。
【０１６６】
外部端末２４Ｂについては、制御部２２は、外部端末２４Ｂの位置情報から、第１オブジェクト３０Ａに関する第１ソフトウェア６０の利害関係者であって、ユーザーと異なる団体に所属する端末であると判定する。制御部２２は、例えば、「Ｂ」と視認される第２インターフェース画像３２Ｂと、「ＸＸＸ」と視認される第２文字画像３４Ｂとが含まれる第２オブジェクト３０Ｂを記憶部２０から読み出し、外部端末２４Ｂの画面２６Ｂに表示させる。
【０１６７】
同様に、外部端末２４Ｃについては、制御部２２は、外部端末２４Ｃが登録されている所属団体名、所属団体の使用者名から、ユーザーと異なる団体に所属する端末であると判定し、例えば、「Ｃ」と視認される第２インターフェース画像３２Ｂと、「ＹＹＹ」と視認される第２文字画像３４Ｂとが含まれる第２オブジェクト３０Ｂを記憶部２０から読み出し、外部端末２４Ｃの画面２６Ｃに表示させる。
【０１６８】
同様に、外部端末２４Ｄについては、制御部２２は、外部端末２４ＤのＩＰアドレス、担当者のメールアドレスのドメイン名から、ユーザーと異なる団体に所属する端末であると推定し、例えば、「Ｄ」と視認される第２インターフェース画像３２Ｂと、「ＺＺＺ」と視認される第２文字画像３４Ｂとが含まれる第２オブジェクト３０Ｂを記憶部２０から読み出し、外部端末２４Ｄの画面２６Ｄに表示させる。
【０１６９】
本実施形態によれば、第１オブジェクト３０Ａを視認されることで不都合を生じる可能性のある外部端末２４、担当者、または団体を選択して、第１オブジェクト３０Ａを第２オブジェクト３０Ｂに変換することができる。
【０１７０】
（第２具体例）
図１６（ａ）〜図１７（ｂ）を参照して、第２具体例を説明する。図１６（ａ）および図１６（ｂ）は、表示装置２の第２具体例を示す図である。図１７（ａ）および図１７（ｂ）は、表示装置２の第２具体例の他の例を示す図である。第２具体例は、第１典型例に対応する。
【０１７１】
第２具体例では、第２オブジェクト３０Ｂが外部端末２４の画面２６に表示されていることを表示装置２の表示部８に表示する。
【０１７２】
表示装置２の表示部８と外部端末２４の画面２６が共有されている場合、図１６（ａ）および図１６（ｂ）に示すように、表示装置２の表示部８には第１オブジェクト３０Ａが表示され、外部端末２４の画面２６には第２オブジェクト３０Ｂが表示される。
【０１７３】
しかしながら、表示装置２のユーザーは、外部端末２４の画面２６で第１オブジェクト３０Ａが第２オブジェクト３０Ｂに変換されて表示されていることがわからない場合がある。また、表示装置２のユーザーは、第１ソフトウェア６０のデータが他人に見られてはいけないデータであるにも関わらず、外部端末２４の画面２６で第１オブジェクト３０Ａが第２オブジェクト３０Ｂに変換されて表示されていることを忘れてしまうことがある。そのため、表示装置２のユーザーは、表示部８に表示された第１オブジェクト３０Ａを不用意に指示して、第１ソフトウェア６０を開いてしまうことがある。
【０１７４】
従って、第１ソフトウェア６０のデータが他人に見られてはいけないデータである場合、外部端末２４の画面２６において、第１オブジェクト３０Ａが第２オブジェクト３０Ｂに変換されて表示されていることを、表示装置２において報知されることが、ユーザーにとって好適であることがある。
【０１７５】
そこで、制御部２２は、表示装置２の表示部８と外部端末２４の画面２６とが共有されているか否かを判定する。共有されていると判定すると、制御部２２は、外部端末２４の画面２６において、第１オブジェクト３０Ａを第２オブジェクト３０Ｂに変換するか否かを判定する。
【０１７６】
第２オブジェクト３０Ｂに変換すると判定すると、制御部２２は、記憶部２０から第１オブジェクト３０Ａに対応する第２オブジェクト３０Ｂを読み出す。さらに、制御部２２は、表示装置２の表示部８に表示するためのインジケーター５０を記憶部２０から読み出す。制御部２２は、外部端末２４の画面２６に第２オブジェクト３０Ｂを表示させる。さらに、制御部２２は、表示装置２の表示部８に第１オブジェクト３０Ａと共にインジケーター５０を表示させる。
【０１７７】
図１６（ｂ）に示すように、外部端末２４の画面２６に第２オブジェクト３０Ｂが表示されている。図１６（ａ）では、制御部２２は、表示部８に第１オブジェクト３０Ａに含まれる第１インターフェース画像３２Ａと第１文字画像３４Ａとに加えて、インジケーター５０を表示する。インジケーター５０は、第１インターフェース画像３２Ａと第１文字画像３４Ａとを含む第１オブジェクト３０Ａが、外部端末２４の画面２６において、第２オブジェクト３０Ｂに変換されて表示されていることを示す。
【０１７８】
インジケーター５０は、図１６（ａ）に示すような矢印に限られない。インジケーター５０は、図１７（ａ）に示すように、第１インターフェース画像３２Ａまたは第１文字画像３４Ａを点線で示すように修飾してもよい。また、インジケーター５０は、第１インターフェース画像３２Ａまたは第１文字画像３４Ａにパターン画像を付加して表示してもよい。
【０１７９】
図１６（ａ）に示すインジケーター５０は、図形の画像が点滅してもよい。さらに、インジケーター５０は、「このオブジェクトは、外部端末２４で他のオブジェクトに変換されて表示されています。」のような注意表示であってもよい。つまり、第１オブジェクト３０Ａが、外部端末２４の画面２６において第２オブジェクト３０Ｂに変換されて表示されていることが、表示装置２のユーザーに認識されるような態様でありさえすればよい。
【０１８０】
また、第１インターフェース画像３２Ａまたは第１文字画像３４Ａは、図１７（ａ）に点線で示すように、透明または半透明で表示されてもよい。第１インターフェース画像３２Ａまたは第１文字画像３４Ａは、点滅してもよい。
【０１８１】
本実施形態によれば、表示装置２のユーザーは、表示部８に表示されている第１オブジェクト３０Ａのいずれが、外部端末２４の画面２６において第２オブジェクト３０Ｂに変換されていることを、表示部８上で認識することができる。
【０１８２】
（第３具体例）
次に、図１８（ａ）〜図２１（ｂ）を参照して、第３具体例を説明する。図１８（ａ）および図１８（ｂ）は、表示装置２の第３具体例を示す図である。図１９（ａ）および図１９（ｂ）は、表示装置２の他の第３具体例を示す図である。図２０（ａ）および図２０（ｂ）は、表示装置２のさらなる他の第３具体例を示す図である。第３具体例は、第１典型例および第２典型例の双方に対応し得る。
【０１８３】
第１典型例に対応し、表示装置２の表示部８と外部端末２４の画面２６とが共有されている場合、図１８（ａ）に示すように、表示部８には第１オブジェクト３０Ａとして第１壁紙が表示される。第１壁紙は、「Ｔｈｅｔａ  Ｓｙｓｔｅｍ」のような、第１ソフトウェア６０の開発者、製造者または販売者の名称と、光の線が拡がるような、第１ソフトウェア６０をイメージした図柄とが併せて、表示部８の全面に表示される。
【０１８４】
しかしながら、第１壁紙は、第１オブジェクト３０Ａ（図１０（ａ））と異なり、表示部８の全面に表示されるため、表示装置２のユーザーは、第１オブジェクト３０Ａである第１壁紙を他人に見られると不都合であることに気付かない場合がある。
【０１８５】
従って、他人には見られたくない第１壁紙は、外部端末２４の画面２６では、第１壁紙が想起されない第２壁紙が表示されることが、ユーザーにとって好適であることがある。
【０１８６】
そこで、制御部２２は、第１オブジェクト３０Ａを第２オブジェクト３０Ｂに変換して、第１壁紙が想起されない第２壁紙を外部端末２４の画面２６に表示する。第２壁紙は、複数の輪が重なって拡がるような図柄である。ここでは、表示装置２の表示部８に表示される第１壁紙を第１オブジェクト３０Ａとし、第１壁紙が想起されない第２壁紙を第２オブジェクト３０Ｂとする。
【０１８７】
また、第２典型例に対応し、表示装置２の表示部８に、第１オブジェクト３０Ａとして第１壁紙が表示される。制御部２２は、取得部１８が取得した位置情報に基づいて、図１８（ａ）に示す第１壁紙と、図１８（ｂ）に示す第２壁紙とを変換して表示する。制御部２２が判定および処理する手順は、第２典型例で説明した通りである。
【０１８８】
次に、図１９（ａ）に示す第１オブジェクト３０Ａは、表計算ソフトのような第１ソフトウェア６０（図６（ａ））を起動するためのインターフェースである第１インターフェース画像３２Ａと、表計算ソフトを用いて作成された資料の名称を示す「Ｅ社資料」のような第１文字画像３４Ａとを含む。
【０１８９】
第１典型例に対応し、表示装置２の表示部８と外部端末２４の画面２６とが共有されている場合、制御部２２は、表示装置２の表示部８に第１インターフェース画像３２Ａと第１文字画像３４Ａとを含む第１オブジェクト３０Ａを表示させる。そして、制御部２２は、第１オブジェクト３０Ａを第２オブジェクト３０Ｂに変換して、外部端末２４の画面２６に表示する。制御部２２が判定および処理する手順は、第１典型例で説明した通りである。
【０１９０】
すなわち、第１インターフェース画像３２Ａは、第１インターフェース画像３２Ａが想起されないデザインの第２インターフェース画像３２Ｂに変換されて、外部端末２４の画面２６に表示される。また、第１文字画像３４Ａは、「Ｅ社資料」のような第１文字画像３４Ａが想起されない「〇△□×」のような第２文字画像３４Ｂに変換されて、外部端末２４の画面２６に表示される。
【０１９１】
また、第２典型例に対応し、制御部２２は、図１９（ａ）に示すように、表示装置２の表示部８に第１インターフェース画像３２Ａと第１文字画像３４Ａとを含む第１オブジェクト３０Ａを表示させる。制御部２２は、取得部１８が取得した位置情報に基づいて、図１９（ａ）に示す第１インターフェース画像３２Ａと第１文字画像３４Ａとを含む第１オブジェクト３０Ａを、図１９（ｂ）に示す第２インターフェース画像３２Ｂと第２文字画像３４Ｂとを含む第２オブジェクト３０Ｂに変換して、表示部８に表示させる。
【０１９２】
また、制御部２２は、取得部１８が取得した位置情報に基づいて、図１９（ｂ）に示す第２インターフェース画像３２Ｂと第１文字画像３４Ａとを含む第２オブジェクト３０Ｂを、図１９（ａ）に示す第１インターフェース画像３２Ａと第１文字画像３４Ａとを含む第１オブジェクト３０Ａに変換して、表示部８に表示させる。
【０１９３】
次に、図２０（ａ）に示す第１オブジェクト３０Ａは、第１ソフトウェア６０を起動して作成したファイルを示す第１インターフェース画像３２Ａと、ファイルの内容を表示する「Ｆ社資料」のような資料名を示す第１文字画像３４Ａとを含む。さらに、第１オブジェクト３０Ａは、１つまたは複数のファイルをまとめたフォルダーを示す第１インターフェース画像３２Ａと、フォルダーの内容を表示する「Ｆ社資料」のような資料名を示す第１文字画像３４Ａとを含む。
【０１９４】
第１典型例に対応した制御部２２の判定および処理手順と、第２典型例に対応した制御部２２の判定および処理手順とは、図１９（ａ）および図１９（ｂ）において説明した内容と同様であるので、重複する説明を省略する。
【０１９５】
（第４具体例）
次に、図２１（ａ）および図２１（ｂ）を参照して、第４具体例を説明する。第４具体例は、第１典型例に対応する。
【０１９６】
表示装置２の表示部８と外部端末２４の画面２６とが共有される場合において、外部端末２４の使用者が、オブジェクト３０の開発者または販売者と競合関係にあるにも関わらず、表示装置２のユーザーは、図２１（ａ）に示すように第１ソフトウェア６０を開いてしまうことがある。
【０１９７】
従って、図２１（ａ）に示すように、表示装置２の表示部８に、第１ソフトウェア６０が開かれても、図２１（ｂ）に示すように、外部端末２４の画面２６では、ユーザーによる指示が拒絶され、第１ソフトウェア６０は開かれず、第２オブジェクト３０Ｂが継続して表示されることが好適である場合がある。
【０１９８】
第４具体例では、制御部２２は、表示部８において、第１オブジェクト３０Ａが指示されても、第１ソフトウェア６０が起動しないよう制御する。
【０１９９】
第１典型例に対応して、表示装置２の表示部８と外部端末２４の画面２６とが共有されている場合、制御部２２は、表示装置２の表示部８に表示された第１インターフェース画像３２Ａと第１文字画像３４Ａとを含む第１オブジェクト３０Ａが指示されたことを検知する。
【０２００】
制御部２２は、第１オブジェクト３０Ａに対応する第１ソフトウェア６０を起動するか否かを判定する。制御部２２は、第１ソフトウェア６０を起動すると判定すると、第１ソフトウェア６０を起動し、図２１（ａ）に示すように、表示部８に第１ソフトウェア６０を表示させる。
【０２０１】
制御部２２は、外部端末２４の画面２６に、第１ソフトウェア６０に対応する第２ソフトウェア６２を起動し、表示するか否かを判定する。制御部２２は、第２ソフトウェア６２を起動しないと判定し、図２１（ｂ）に示すように、外部端末２４の画面２６に第２ソフトウェア６２を表示させず、第２オブジェクト３０Ｂを表示する。
【０２０２】
本実施形態によれば、第１典型例に対応して、表示装置２のユーザーが、表示装置２の表示部８において第１オブジェクト３０Ａを不用意に指示して、第１ソフトウェア６０を起動しても、外部端末２４の画面２６には、第２ソフトウェア６２が起動されないため、第２ソフトウェア６２に表示されたデータが他人に見られない。
【０２０３】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、本実施形態に示される全構成要素から幾つかの構成要素を削除してもよい。さらに、異なる本実施形態にわたる構成要素を適宜組み合わせてもよい。図面は、理解しやすくするために、それぞれの構成要素を主体に模式的に示しており、図示された各構成要素の個数等は、図面作成の都合上から実際とは異なる。また、上記の実施形態で示す各構成要素の形状等は一例であって、特に限定されるものではなく、本発明の構成から実質的に逸脱しない範囲で種々の変更が可能である。
【産業上の利用可能性】
【０２０４】
本発明は、表示装置の分野に利用可能である。
【符号の説明】
【０２０５】
２          表示装置
４          本体装置
６          ヒンジ
８          表示部
１２        ＵＳＢコネクター
１４        インターフェース部
１６        通信部
１８        取得部
２０        記憶部
２２        制御部
２４        外部端末
２６        画面
２８        ケーブル
３０        オブジェクト
３０Ａ      第１オブジェクト
３２Ａ      第１インターフェース画像
３４Ａ      第１文字画像
４０        第１領域
４２        第２領域
５０        インジケーター
６０        第１ソフトウェア
６２        第２ソフトウェア
６４        文字画像
６６        文字画像
【図１】
2020135817.tif 000003
【図２】
2020135817.tif 000004
【図３】
2020135817.tif 000005
【図４】
2020135817.tif 000006
【図５】
2020135817.tif 000007
【図６】
2020135817.tif 000008
【図７】
2020135817.tif 000009
【図８】
2020135817.tif 000010
【図９】
2020135817.tif 000011
【図１０】
2020135817.tif 000012
【図１１】
2020135817.tif 000013
【図１２】
2020135817.tif 000014
【図１３】
2020135817.tif 000015
【図１４】
2020135817.tif 000016
【図１５】
2020135817.tif 000017
【図１６】
2020135817.tif 000018
【図１７】
2020135817.tif 000019
【図１８】
2020135817.tif 000020
【図１９】
2020135817.tif 000021
【図２０】
2020135817.tif 000022
【図２１】
2020135817.tif 000023